(57)【要約】【課題】印刷によらずに２次元コードを紙面に表示させる手段を提供すること。【解決手段】印章１は長尺に形成された本体２の両端部に自身を表章するための文字又は図形の印面８が刻設された第１の刻印パッド３と、自身に関する固有のデータがコード化されたＱＲコードの印面８が刻設された第２の刻印パッド４を有する。これによって単に２次元コードだけを押印するのではなく、第１の刻印パッド３による自身を表章するための文字等の押印との関係で２次元コードの押印ができるので誰が押した２次元コードかが理解でき、挨拶代わりの手段として相手と従来にない斬新なコミュニケーションを取ることが可能となる。【選択図】      図３
0003120143.tif 000002
【実用新案登録請求の範囲】
【請求項１】
自身を表章するための反転した文字又は図形の印面が刻設された第１の刻印部と、反転した２次元コードの印面が刻設された第２の刻印部を有することを特徴とする印章。
【請求項２】
前記第２の刻印部に刻設された２次元コードにコード化されたデータ内容は前記第１の刻印部に刻設された自身に関する固有のデータであることを特徴とする請求項１に記載の印章。
【請求項３】
前記第１及び第２の刻印部は長尺に形成された本体の両端部に配設されるとともに同両刻印部の外径は同本体の外径内に収まることを特徴とする請求項１又は２に記載の印章。
【請求項４】
前記第１及び第２の刻印部は多孔性材料から構成され、押印用のインクが同両刻印部に吸着保持されていることを特徴とする請求項１〜３のいずれかに記載の印章。
【考案の詳細な説明】
【技術分野】
【０００１】
本考案は、紙面に押印するための印章に関するものである。
【背景技術】
【０００２】
近年バーコードの発展型として２次元的に多くの情報をデータ化するＱＲコードのような２次元コードが広く使用されるようになって来ている。特に最近の携帯電話ではＱＲコード読みとりが可能なスキャナー機能が併設されているため、このＱＲコードのデータ内容を解析して情報を得て、インターネットのホームページに接続することも可能となっている。ＱＲコードに関する先行技術は多いがその一例を技術文献１に示す。
【特許文献１】特開２００３−４４２５７号公報
【考案の開示】
【考案が解決しようとする課題】
【０００３】
しかし、２次元コードを作成するにはコンピュータに詳しくなければ個人的に容易には作成できず、しかも印刷物やインターネットのホームページ等を介して頒布されることがほとんどであるため手軽に２次元コードを使うことはできず実際にはなかなか２次元コードは普及していない。そのため、手軽に使用でき、同時に広く２次元コードを頒布する手段が求められていた。
本考案は、このような従来の技術に存在する問題点に着目してなされたものである。その主目的とするところは、印刷によらずに２次元コードを紙面に表示させる手段を提供することにある。
【課題を解決するための手段】
【０００４】
上記の目的を達成するための第１の手段として、自身を表章するための反転した文字又は図形の印面が刻設された第１の刻印部と、反転した２次元コードの印面が刻設された第２の刻印部を有することをその要旨とする。
このような構成とすると、第１の刻印部によって自身を表章するための文字又は図形を紙面に押印し、それと併せて第２の刻印部によって２次元コードを押印することでその２次元コードの有するデータ内容とセットで相手に頒布することが可能となる。単に２次元コードだけでは何の２次元コードか記憶に残りにくいが、このように「誰が押したか」が分かることから明確であり忘れることはない。また、氏名等と２次元コードがセットであるという従来にない斬新なコミュニケーションの取り方となるため相手に与える印象も非常に強くなる。
ここに自身を表章するための文字又は図形とは例えば、自身の氏名、愛称、芸名、イニシャル等の文字や自身の似顔絵等の図形が挙げられる。
２次元コードとしては代表的にはＱＲコードが挙げられるが、他の２次元コードでも構わない。
【０００５】
第２の手段では第１の手段に加え、前記第２の刻印部に刻設された２次元コードにコード化されたデータ内容は前記第１の刻印部に刻設された自身に関する固有のデータであることをその要旨とする。
この構成によって、第１の刻印部によって自身を表章するための文字又は図形を紙面に押印し、それと併せて第２の刻印部によって２次元コードを押印することでその２次元コードのデータの内容が第１の刻印部によって押印された人物と関わりのある内容がコード化されていることがわかる。例えば、名刺を渡さなくとも２次元コードに会社名や住所や電話番号がデータ化されて情報として含まれていれば第１の刻印部による氏名等と２次元コードさえあれば受け取った相手には十分であり、単に名刺のようなカード化されたものを渡すよりも相手と親密さを形成することができることとなる。
「自身に関する固有のデータ」とは上記の会社名等の他に誕生日や血液型等のいわゆる個人のプロフィール等が想定される。
【０００６】
第３の手段では第１又は第２の手段に加え、前記第１及び第２の刻印部は長尺に形成された本体の両端部に配設されるとともに同両刻印部の外径は同本体の外径内に収まることをその要旨とする。
この構成によって、印章は大型化せずコンパクトで持ち運びが容易となる。
第４の手段では、前記第１及び第２の刻印部は多孔性材料から構成され、押印用のインクが同両刻印部に吸着保持されていることをその要旨とする。
このような構成とすると、スタンプ台が不要であるためいつどこでも押印する用紙さえあればその場で押印できるため非常に便利である。
【考案の効果】
【０００７】
上記各請求項１〜４の考案では、第１の刻印部によって自身を表章するための文字又は図形を紙面に押印し、それと併せて第２の刻印部によって２次元コードを押印することでその２次元コードの有するデータ内容とセットで相手に頒布することが可能となる。単に２次元コードだけを押印するのではなく、第１の刻印部による自身を表章するための文字等の押印との関係で２次元コードの押印ができるので誰が押した２次元コードかが容易に理解でき、挨拶代わりの手段として相手と従来にない斬新なコミュニケーションを取ることが可能となる。
【考案を実施するための最良の形態】
【０００８】
以下、本考案における印章を具体化した実施の形態を図面に基づいて説明する。
図１に示すように、印章１は本体２とその本体２の両端に配設された第１及び第２の刻印パッド３，４及びキャップ５から構成されている。
本体２は長尺かつ円筒形状に形成され、両端寄りはキャップ５が嵌合される小径部２ａとされている。小径部２ａの外径は中央部分と比較して若干小径とされている。小径部２ａにキャップ５が被せられた状態で印章１外周は凹凸のない面一とされる。
本体２の両端には両刻印パッド３，４が嵌め込まれる嵌合凹部６が形成されている。本体１の外周には吊り下げ用の孔が形成された耳部７が形成され、同耳部７と１８０度対峙した位置には押印の際の目印となる突起８が形成されている。
【０００９】
両刻印パッド３，４はスポンジ様の多孔質の弾性合成樹脂材料から構成され、第１の刻印パッド３には赤インクが、第２の刻印パッド４には黒インクが吸着保持されている。
図２（ａ）に示すように、第１の刻印パッド３の印面８は「三井」と押印されるように反転文字となった第１の押印凸部９が隆起されて形成されている。第１の押印凸部９の表面はインクが染み出るように内部気孔と連通した粗面に形成されており、この第１の押印凸部９以外の印面８部分にはコーティング膜が形成されインクが染み出ないようになっている。同様に第２の刻印パッド４の印面８はＱＲコードが押印されるように反転図形となった第２の押印凸部１０が隆起されて形成されている。第２の押印凸部１０の表面もインクが染み出るように内部気孔と連通した粗面に形成されており、この第２の押印凸部１０以外の印面８部分にはコーティング膜が形成されインクが染み出ないようになっている。ここに、第２の刻印パッド４側で押印されたＱＲコードにはこの印章１の所有者である三井氏の会社名、住所、電話番号、及び会社のホームページのアドレス等のデータがコード化されている。
【００１０】
このような印章１は例えば次のように使用される。
図３（ａ）に示すように、まず第１の刻印パッド３側である紙面に「三井」と押印する。そして、次に図３（ｂ）に示すように印章１を反転させて第２の刻印パッド４側で「三井」と押印した位置の近傍にＱＲコードを押印する（図３（ｃ）の状態）。
このような紙面を受けた相手は携帯電話等のスキャナーを使ってＱＲコードを読みとって解析し、上記三井氏に関する情報を得ることが可能となる。
【００１１】
このように使用することで次のような効果が奏される。
（１）簡便な押印手段でＱＲコードを紙面に表示させて相手に手渡すことができるため、印刷等の面倒な手段に比べて広くＱＲコードが普及することが望める。
（２）「三井」と押印するだけではなく、またＱＲコードを押印するだけでもなく両者をセットで押印することができるので、ＱＲコードの内容が三井氏との関係のデータであることが一目瞭然であり何のＱＲコードであったか分からなくなることがない。例えば、その場で直ちにＱＲコードを読みとらなくとも、三井氏の押印したものであることは容易に分かるので後ほど読みとりすることも可能となる。
（３）名字を押印するという事務的な行為が一変して相手に強い印象を与える斬新なコミュニケーションとなるため挨拶手段としても優れたものとなる。
（４）単に押印するという簡易な行為だけで多くの情報を紙面に付加することとなる。更に、多くの情報を相手に伝えるためにわずかなスペースがあればよく紙面を取ったりすることがないので、どのような紙面にも気軽に押印できる。
（５）第１及び第２の刻印パッド３，４とも本体２の外径からはみ出ることなく、印章１全体としてコンパクトな筒状に形成されるため、嵩張らず携行に便利である。
【図面の簡単な説明】
【００１２】
【図１】本考案の実施の形態の印章の部分断面正面図。
【図２】（ａ）及び（ｂ）は同じ印章の斜視図。
【図３】（ａ）〜（ｃ）は同じ印章による使用方法の一例を説明する説明図。
【符号の説明】
【００１３】
１…印章、２…本体、３…第１の刻印部としての第１の刻印パッド、４…第２の刻印部としての第１の刻印パッド。
【図１】
0003120143.tif 000003
【図２】
0003120143.tif 000004
【図３】
0003120143.tif 000005